(57)【要約】【課題】救命機器を操作する際、この救命機器の操作手順について救命機器の操作手順を熟知した専門家のアドバイスを会話しながら受けられるとともに、その際に救急車の手配が可能な救命ボックス装置を提供する。【解決手段】救命ボックス装置１では、救命機器１０を使用するために扉２１を開扉すると自動的に消防署等の外部の救護施設１００との通話路が形成される。これにより、開扉した時点から外部の救護施設にいる専門家によりＡＥＤ１０の操作手順について会話しながらアドバイスを受けることができ、ＡＥＤ１０の操作に不慣れな操作者であっても操作手順を容易に理解することができる。【選択図】図１
2010194048.tif 000002
【特許請求の範囲】
【請求項１】
ＡＥＤ（自動体外式除細動器）等の救命機器を収納する収納部を有し、前記収納部の前面に設けられた扉を開扉して前記救命機器を取り出せるようになっている救命ボックス装置であって、
開扉を検知する開扉検知手段と、
前記救命機器の操作者が操作を問い合わせるための通話装置と、
前記開扉検知手段が開扉を検知したら、消防署等の外部の救護施設に設けた応答手段と前記通話装置との間で公衆通信網を介して通話路を形成する通話路形成手段とを有することを特徴とする救命ボックス装置。
【請求項２】
前記通話装置は、前記救命機器の操作者が前記救命ボックス装置本体から分離して携行可能であって、前記通話路形成手段との間で無線通信を行い、前記救護施設との間で通話路が形成されることを特徴とする請求項１記載の救命ボックス装置。
【請求項３】
周囲を撮像するカメラをさらに備え、前記通話路形成手段は、通話路形成に合わせて前記カメラの撮像映像を通話路形成先の前記応答手段に送信することを特徴とする請求項１または２記載の救命ボックス装置。
【発明の詳細な説明】
【技術分野】
【０００１】
本発明は、ＡＥＤ（自動体外式除細動器）等の救命機器を収納する収納部を有し、この収納部前面に設けられた扉を開扉して救命機器を取り出す救命ボックス装置に関する。
【背景技術】
【０００２】
従来の救命ボックス装置は、ＡＥＤ等の救命機器と、この救命機器を収納する収納部と、この収納部の前面に設けられた扉とにより構成されており、救命機器を扉を開いて収納部から取り出して救命に使用できるようになっている。
【先行技術文献】
【特許文献】
【０００３】
【特許文献１】特開２００８−１１３１８２号公報
【発明の概要】
【発明が解決しようとする課題】
【０００４】
このような救命ボックス装置は、駅や公共施設等のような不特定多数人が通行する場所に設置されており、救命ボックス装置に収納されたＡＥＤ等の救命機器を実際に使用する使用者はその場に偶然に居合わせた通行人などの不特定人であることが多いため、救命機器の操作に不慣れであることが一般的であり、一方的な操作説明のガイダンスや説明書だけでは救命機器の操作手順を理解しにくい場合があり、救命作業が迅速に行えないおそれがあった。
また、このような救命機器を使用する必要があるような急病人が発生した場合には直ちに救急車を手配する必要があるが、従来の救命ボックス装置はそのような機能を備えていなかった。
【０００５】
本発明は、以上のような問題点に鑑みてなされたものであり、救命機器を操作する際、この救命機器の操作手順について救命機器の操作手順を熟知した専門家のアドバイスを会話しながら受けられるとともに、その際に救急車の手配が可能な救命ボックス装置を提供することを課題とするものである。
【課題を解決するための手段】
【０００６】
かかる課題を解決するため、本願発明者は、以下のような救命ボックス装置を提案する。
【０００７】
本願の救命ボックス装置は、ＡＥＤ（自動体外式除細動器）等の救命機器を収納する収納部を有し、前記収納部の前面に設けられた扉を開扉して前記救命機器を取り出せるようになっている救命ボックス装置である。
この救命ボックス装置は、開扉を検知する開扉検知手段と、前記救命機器の操作者が操作を問い合わせるための通話装置と、前記開扉検知手段が開扉を検知したら、消防署等の外部の救護施設に設けた応答手段と前記通話装置との間で公衆通信網を介して通話路を形成する通話路形成手段とを有することを特徴とする。
このような救命ボックス装置によれば、救命機器を使用するために扉を開扉すると自動的に消防署等の外部の救護施設との通話路が形成されるため、開扉した時点から外部の救護施設にいる専門家により救命機器の操作手順について会話しながらアドバイスを受けることができるので、救命機器の操作に不慣れな操作者であっても操作手順を容易に理解することができ、救命活動を迅速に行うことができる。また、この際に救急車の手配も同時に行うことができ、救命活動を迅速に行うことができる。
【０００８】
前記通話装置は、前記救命機器の操作者が前記救命ボックス装置本体から分離して携行可能であって、前記通話路形成手段との間で無線通信を行い、前記救護施設との間で通話路が形成されるように構成されてもよい。
このような構成の救命ボックス装置によれば、救命機器の操作者が収納部から離れた位置で救命機器を使用する場合であっても外部の救護施設との間に通話路を形成することができる。
【０００９】
以上の救命ボックス装置は、周囲を撮像するカメラをさらに備え、前記通話路形成手段は、通話路形成に合わせて前記カメラの撮像映像を通話路形成先の前記応答手段に送信するように構成されていてもよい。
このような構成の救命ボックス装置によれば、外部の救護施設にいる専門家は操作者による救命活動の状況や救命機器、急病人の状態を見ながらアドバイスすることができるため、操作者により的確にアドバイスすることができ、より迅速に救命活動を行うことができる。
【発明の効果】
【００１０】
本発明によれば、救命機器を操作する際にこの救命機器の操作手順について会話しながら専門家のアドバイスを受けられるとともに救急車を手配することができる救命ボックス装置を提供することができる。
【図面の簡単な説明】
【００１１】
【図１】第１実施形態の救命ボックス装置と、外部の救護施設の構成を示す図。
【図２】第２実施形態の救命ボックス装置と、外部の救護施設の構成を示す図。
【発明を実施するための形態】
【００１２】
以下、本発明の救命ボックス装置の好ましい実施形態を、図面を参照しながら詳細に説明する。
【００１３】
＜第１実施形態＞
図１は、第１実施形態による救命ボックス装置１と、外部の救護施設１００とを示す図である。
まず、救命ボックス装置１の構成について説明する。
救命ボックス装置１は、救命機器の一例であるＡＥＤ（自動体外式除細動器）１０を収納する収納部２０と、この収納部２０の前面に設けられた扉２１、音声を入出力するマイク２２およびスピーカ２３と、通信部２４と、扉スイッチ２５と、発信部２６と、カメラ３０とを備えている。
扉２１は、これを開扉することによりＡＥＤ１０を取り出せるようになっている。マイク２２およびスピーカ２３は、ＡＥＤ１０の操作者が操作を問い合わせるための通話装置となるものである。
通信部２４は、公衆通信網を介して外部機器と通信するためのものである。
扉スイッチ２５は、扉２１の開扉を検知するスイッチである。
発信部２６は、扉スイッチ２５からの検知信号を受信した場合、通信部２４、公衆通信網１１０を介して消防署等の外部の救護施設１００の図示しない通信部に自動発信するものである。
カメラ３０は、周囲を撮像するためのものであり、収納部の近傍に取り付けられている。このカメラ３０の撮像映像は、通信部２４から外部に送信される。
救護施設１００は、後述のように救命ボックス装置１のカメラ３０から通信部２４を介して送信される映像を表示するモニタ１０２を備えるモニタ装置１０１を有している。このモニタ装置１０１には、操作者と通話するためのマイクおよびスピーカを含んだ受話器１０３が設けられている。この救護施設１００は、本実施形態では消防署であるものとして説明するが、これに限られず、ＡＥＤ等の救命機器の操作手順を熟知した人のいる拠点である自治体の救急本部、病院、医務室、または駅長室等であってもよい。
【００１４】
次に、以上のような構成の救命ボックス装置１を使用する際の手順および動作について説明する。
救命ボックス装置１の近傍で急病人が発生した場合、救助を行う人（以下、「操作者」とする。）は、救命ボックス装置１の収納部２０の扉２１を開扉し、中にあるＡＥＤ１０を取り出す。
操作者が扉２１を開扉した際、扉スイッチ２５は扉２１の開扉を検知し、発信部２６に通知する。発信部２６は、扉スイッチ２５からの通知を受けると、通信部２４を介して救護施設１００に自動発信する。
【００１５】
救護施設１００の図示しない通信部が救命ボックス装置１からの発信信号を受信すると、モニタ装置１０１に発信信号の受信を知らせる報知音が鳴動し、ＡＥＤ１０の操作手順を熟知した人（以下、「指導者」とする。）が受話器１０３を取る等の応答操作を行うことにより、救命ボックス装置１と救護施設１００との間で通話路が形成される。
通話路が形成されると、救命ボックス装置１のカメラ３０による撮像が開始し、このカメラ３０の撮像映像は通信部２４を介して救護施設１００に送信され、モニタ装置１０１のモニタ１０２に表示される。
【００１６】
指導者は、モニタ１０２に表示されたカメラ３０の撮像映像を見ながら受話器１０３によりＡＥＤ１０の操作手順を説明する。
操作者は、スピーカ２３で指導者からのアドバイスを聞きながら、マイク２２でＡＥＤ１０の操作手順についての質問をする等して会話を行い、ＡＥＤ１０を使用する。
【００１７】
また、指導者は、通話路が形成された際、発信信号の発信元の電話番号やＧＰＳ等の図示しない位置特定手段により該救命ボックス装置１の設置されている位置を特定し、救急車の手配を行う。
【００１８】
本実施形態の救命ボックス装置１によれば、ＡＥＤ１０を使用するために扉２１を開扉すると自動的に救護施設１００との通話路が形成されるため、開扉した時点から救護施設１００にいる指導者によりＡＥＤ１０の操作手順について会話しながらアドバイスを受けることができるので、ＡＥＤ１０の操作者がその操作に不慣れであっても操作手順を容易に理解することができ、救命活動を迅速に行うことができる。また、この際に救急車の手配も同時に行うことができ、救命活動を迅速に行うことができる。
また、本実施形態の救命ボックス装置１は、カメラ３０を備えているため、救護施設１００にいる専門家は操作者による救命活動の状況やＡＥＤ１０、急病人の状態を見ながらアドバイスすることができ、操作者に対してより的確にアドバイスすることができ、より迅速に救命活動を行うことができる。
【００１９】
＜第２実施形態＞
次に、本発明の第２実施形態について説明する。
図２は、第２実施形態による救命ボックス装置２と、外部の救護施設２００とを示す図である。
【００２０】
この救命ボックス装置２は、無線送受信部４１と、携帯型子機６０とを有する点、収納部４０の前面にマイクおよびスピーカが設けられていない点、およびカメラ５０の構成において、第１実施形態の救命ボックス装置１の構成と異なる。
無線送受信部４１は、携帯型子機６０と通信するためのものであり、収納部４０に設けられている。
カメラ５０は、広角画像の撮影が可能、またはズーム動作やカメラレンズを上下左右に調整するパンチルト動作が可能に構成されている。
携帯型子機６０は、本発明の通話装置に相当するものであり、音声を入出力するマイク６１およびスピーカ６２を備えている。また、救命ボックス装置２本体の無線送受信部４１と無線通信を行う、図示しない無線送受信部を備えている。この携帯型子機６０は、ＡＥＤ１０と共に収納部４０に収納されているが、収納部４０から取り出した際には救命ボックス装置２本体から分離して携行することができる。
【００２１】
救護施設２００は、第１実施形態における救護施設１００と同様、モニタ装置２０１を有しているが、このモニタ装置２０１には、モニタ１０２および受話器１０３に加えて、カメラ駆動部２０２が設けられている点で、第１実施形態と異なる。
カメラ駆動部２０２は、救命ボックス装置２のカメラ５０の動作を指示するためのものであり、このカメラ駆動部２０２を操作することにより、カメラ５０の出画範囲を拡大、またはズーム動作やパンチルト動作を指示することができる。
【００２２】
次に、以上のような構成の救命ボックス装置２を使用する際の手順および動作について説明する。
救命ボックス装置２から離れた場所で急病人が発生した場合、操作者は、救命ボックス装置２の収納部４０の扉２１を開扉し、中にあるＡＥＤ１０を取り出すとともに携帯型子機６０を救命ボックス装置２本体から分離して携行し、急病人がいる場所にＡＥＤ１０を移動させる。
操作者が扉２１を開扉した際、第１実施形態と同様に、扉スイッチ２５は扉１０の開扉を検知し、発信部２６に通知する。発信部２６は、扉スイッチ２５からの通知を受けると通信部２４を介して救護施設２００に自動発信する。
【００２３】
救護施設２００の図示しない通信部が救命ボックス装置２からの発信信号を受信すると、第１実施形態と同様に、モニタ装置２０１に発信信号の受信を知らせる報知音が鳴動し、指導者が受話器１０３を取る等の応答操作を行うことにより、救命ボックス装置２と救護施設２００との間で通話路が形成される。
具体的には、本実施形態においては、携帯型子機６０の無線送受信部、救命ボックス装置２本体の無線送受信部４１、通信部２４および公衆通信網１１０を介して、携帯型子機６０と、救護施設２００の受話器１０３との間で無線通信を介した通話路が形成される。
通話路が形成されると、第１実施形態と同様に、救命ボックス装置２のカメラ５０による撮像が開始し、このカメラ５０の撮像映像は通信部２４を介して救護施設２００に送信され、モニタ装置２０１のモニタ１０２に表示される。
【００２４】
指導者は、第１実施形態と同様に、モニタ１０２に表示されたカメラ５０の撮像映像を見ながら受話器１０３によりＡＥＤ１０の操作手順を説明する。
この際、操作者によるＡＥＤ１０を使用した救命活動がカメラ５０から離れた位置で行われており、カメラ５０からの映像に操作者やＡＥＤ１０が映っていない場合または見づらい場合には、指導者は、操作者等が見やすいようにカメラ駆動部２０２を操作してカメラ５０をズームさせたり上下左右に移動させたりして調整する。指導者は、このようにカメラ駆動部２０２を操作することによりカメラ５０の撮像範囲を部分的に拡大したりカメラのズーム機能を用いて部分的に拡大して見ながら対応することができるので、より的確なアドバイスを行うことができる。
一方、操作者は、携帯型子機６０のスピーカ６２で指導者からのアドバイスを聞きながら、マイク６１でＡＥＤ１０の操作手順についての質問をする等して会話を行い、ＡＥＤ１０を使用する。
【００２５】
また、指導者は、第１実施形態と同様に、通話路が形成された際、発信信号の発信元の電話番号やＧＰＳ等の図示しない位置特定手段により該救命ボックス装置２の設置されている位置を特定し、救急車の手配を行う。
【００２６】
この実施形態の救命ボックス装置２によれば、本発明の通話装置に相当する携帯型子機６０が救命ボックス装置２本体から分離して携行可能であり、携帯型子機６０と無線送受信部４１との間で無線通信が行われることで携帯型子機６０と救護施設２００との間で通話路が形成されるので、操作者が救命ボックス装置２本体から離れた位置でＡＥＤ１０を使用する場合であっても、救護施設２００との間に通話路を形成することができる。
【符号の説明】
【００２７】
１，２・・救命ボックス装置、２０，４０・・収納部、２１・・扉、２２，６１・・マイク（通話装置）、２３，６２・・スピーカ（通話装置）、２４・・通信部（通話路形成手段）、２５・・扉スイッチ（開扉検知手段）、２６・・発信部、３０，５０・・カメラ、４１・・無線送受信部、６０・・携帯型子機、１００，２００・・救護施設、１０１，２０１・・モニタ装置（応答手段）、１０２・・モニタ、１０３・・受話器、１１０・・公衆通信網、２０２・・カメラ駆動部
【図１】
2010194048.tif 000003
【図２】
2010194048.tif 000004